【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
材料表面を被覆するための方法であって、
（ａ）材料表面に、ポリマー基本骨格及びここに懸垂して結合している側鎖（ここで少なくとも側鎖の一部は、カルベン又はニトレン形成を誘発可能な前駆体を担持する）を含む１つ以上の異なる櫛状ポリマーを適用する工程；並びに
（ｂ）このポリマーを、ＵＶ若しくは可視光を用いて材料表面に固定する工程
を含み、
工程（ａ）の櫛状ポリマーが、式（１）：
【化１】
2002348393.tif 000001
〔式中、Ｒは、水素又はＣ1−Ｃ4−アルキルであり；
Ａは、式（２ａ）〜（２ｋ）：
【化２】
2002348393.tif 000002
で示される基であり；ここで
（ａｌｋ′）は、Ｃ1−Ｃ6−アルキレンであり；（ａｌｋ″）は、Ｃ2−Ｃ12−アルキレンであり；（ａｌｋ″′）は、Ｃ1−Ｃ6−アルキレンであり；Ｄは、基：−Ｃ（Ｏ）−又は−Ｃ（Ｓ）−であり、そしてｓは、０又は１であり；
Ｘ及びＸ1は、それぞれ独立に、基：−Ｏ−又は−ＮＲ1−であり、ここでＲ1は、水素又はＣ1−Ｃ4−アルキルであり；
（オリゴマー1）は、
（ｉ）１つ以上の異なる共重合可能なビニルモノマーから誘導される親水性テロマーの基、
（ii）オリゴ糖の基；
（iii）オリゴペプチドの基；又は
（iv）ポリアルキレンオキシドの基
であり；
Ｑは、カルベン又はニトレン形成を誘発可能な前駆体を含む基であり；
ｒは、１〜４の整数であり；そしてｍは、≧１の整数である〕で示される単位を含む、方法。
【請求項２】
−（オリゴマー1）−（Ｑ）m基が、式（３）：
【化３】
2002348393.tif 000003
〔式中、（ａｌｋ）は、Ｃ2−Ｃ6−アルキレンであり、そして（オリゴマー）−（Ｑ）mは、式（３ａ）：
【化４】
2002348393.tif 000004
（式中、Ｂ及びＢ′は、それぞれ他と独立に、式（４ａ）又は（４ｂ）：
【化５】
2002348393.tif 000005
（式中、Ｒ25は、水素又はＣ1−Ｃ4−アルキルであり、Ｒ26は、親水性置換基であり；Ｒ27は、Ｃ1−Ｃ4−アルキル、フェニル又は−Ｃ（Ｏ）ＯＹ9基であり（ここでＹ9は、水素又は非置換若しくはヒドロキシ置換Ｃ1−Ｃ4−アルキルである）；そしてＲ28は、基：−Ｃ（Ｏ）ＯＹ9′又は−ＣＨ2−Ｃ（Ｏ）ＯＹ9′である（ここでＹ9′は、独立にＹ9の意味を有する））で示される基であり；
Ｂ″−Ｑは、式（４ｃ）：
【化６】
2002348393.tif 000006
（式中、Ｒ25″は、水素又はＣ1−Ｃ4−アルキルであり、
Ａ1は、式（６ａ）〜（６ｄ）又は（６ｆ）：
【化７】
2002348393.tif 000007
で示される結合メンバーであり、
Ｘ′及びＸ2は、それぞれ独立に、基：−Ｏ−又は−ＮＲ1′−であり、Ｒ1′は、水素又はＣ1−Ｃ4−アルキルであり；Ｄ1は、基：−Ｃ（Ｏ）−又は−Ｃ（Ｓ）−であり、（Ａｌｋ）は、Ｃ2−Ｃ12−アルキレンであり、ｔは、０又は１であり、
Ｒ29は、Ｃ1−Ｃ4−アルキル、Ｃ1−Ｃ4−アルコキシ、アミノ、ヒドロキシ、スルホ、ニトロ、トリフルオロメチル又はハロゲンであり、
ｇは、０〜２の整数であり、
Ｌ1は、式（７ａ）又は（７ｂ）：
【化８】
2002348393.tif 000008
で示される基であり、
Ｒ30は、フッ素化Ｃ1−Ｃ6−アルキルである）で示される１，２−エチレン基であり；
ｐ及びｑは、それぞれ他と独立に、０〜２５０の整数であり、ここで（ｐ＋ｑ）の合計は、２〜２５０の整数であり、ｍは、１〜３の整数であり、そして
Ｔは、重合連鎖反応の停止剤として作用するのに適している一価の基である）に相当する〕で示される基に相当する、請求項１記載の方法。
【請求項３】
Ｂ及びＢ′が、それぞれ独立に、式（４ａ）の基であり、Ｒ25が、水素又はメチルであり、そしてＲ26が、基：−ＣＯＮＨ2、−ＣＯＮ（ＣＨ3）2、下記式：
【化９】
2002348393.tif 000009
で示される基、−ＣＯＮＨ−（ＣＨ2）2−ＯＨ、−ＣＯＯ（ＣＨ2）2-4−ＮＨＣ（Ｏ）−Ｏ−Ｇ（ここで−Ｏ−Ｇは、トレハロースの基である）、−ＣＯＯＨ、−ＮＨ2、−ＣＨ2−ＮＨ2、−ＣＨ2−Ｎ（ＣＨ3）2、−Ｃ（Ｏ）ＮＨ−（ＣＨ2）2-3−ＮＨ2、−Ｃ（Ｏ）Ｏ−（ＣＨ2）2-3−ＮＨ2、−ＣＯＯ−（ＣＨ2）2−Ｎ（ＣＨ3）2又は−Ｃ（Ｏ）Ｏ−ＣＨ2−ＣＨ（ＯＨ）−ＣＨ2−Ｎ（ＣＨ3）3+Ａｎ-（ここでＡｎ-は、アニオンである）である、請求項２記載の方法。
【請求項４】
式（１）のポリマー単位において、Ｒが、水素又はメチルであり、Ａが、式（２ａ）又は（２ｄ）：
【化１０】
2002348393.tif 000010
で示される基であり、
（ａｌｋ″）が、Ｃ2−Ｃ4−アルキレンであり；Ｘが、−ＮＨ−であり；そして（オリゴマー1）−（Ｑ）mが、式（３）：
【化１１】
2002348393.tif 000011
〔式中、（ａｌｋ）は、Ｃ2−Ｃ4−アルキレンであり、そして（オリゴマー）−（Ｑ）mは、式（３ｂ）：
【化１２】
2002348393.tif 000012
(式中、Ｒ25、Ｒ25′及びＲ25″は、それぞれ独立に、水素又はメチルであり、Ｒ26は、基：−ＣＯＮＨ2、−ＣＯＮ（ＣＨ3）2又はＮ−ピロリドニルであり、Ｒ26′は、−ＮＨ2又は−Ｃ（Ｏ）Ｘ′−（Ａｌｋ）−ＮＨ2であり、Ｘ′は、−Ｏ−又は−ＮＨ−であり、（Ａｌｋ）は、Ｃ2−Ｃ3−アルキレンであり、Ａ1は、基：−ＮＨ−Ｃ（Ｏ）−又は−Ｃ（Ｏ）−ＮＨ−（ＣＨ2）2-4−ＮＨ−Ｃ（Ｏ）−であり、ｇは、０であり、Ｌ1は、基：
【化１３】
2002348393.tif 000013
又は−Ｎ3であり、ｐ及びｑは、それぞれ独立に、０〜１５０の整数であり（ここで（ｐ＋ｑ）の合計は、２〜１５０の整数である）、ｍは、１〜３の整数であり、そしてＴは、重合連鎖反応の停止剤として作用するのに適している一価の基である)に対応する〕で示されるテロマー基である、請求項１〜３のいずれか１項記載の方法。
【請求項５】
工程（ａ）の櫛状ポリマーが、式（１ａ′）：
【化１４】
2002348393.tif 000014
及び場合により式（９ａ′）又は（４ａ′）：
【化１５】
2002348393.tif 000015
〔式中、Ｒ、Ｒ′及びＲ25aは、それぞれ独立に、水素又はメチルであり、Ｒ26aは、基：−ＣＯＮＨ2、−ＣＯＮ（ＣＨ3）2又はＮ−ピロリドニルであり、Ａ及びＡ′は、それぞれ独立に、請求項４で定められた上記式（２ａ）、（２ｃ）、（２ｄ）、（２ｉ）又は（２ｋ）の基（ここでＸは、基：−Ｏ−又は−ＮＨ−であり、（ａｌｋ″）は、Ｃ2−Ｃ4−アルキレンであり、（ａｌｋ′）は、基：−ＣＨ2又は−Ｃ（ＣＨ3）2−であり、そして（ａｌｋ″′）は、Ｃ1−Ｃ2−アルキレンである）であり、
（ａｌｋ）及び（ａｌｋ*）は、それぞれ独立に、Ｃ2−Ｃ4−アルキレンであり、
（オリゴマー）−（Ｑ）mは、請求項４記載の式（３ｂ）の基であり、そして
（オリゴマー′）は、式（３ｄ′）：
【化１６】
2002348393.tif 000016
（式中、Ｒ25*及びＲ25**は、それぞれ独立に、水素又はメチルであり、Ｒ26*及びＲ26**は、それぞれ独立に、基：−ＣＯＮＨ2、−ＣＯＮ（ＣＨ3）2又はＮ−ピロリドニルであり、ｐ１及びｑ１は、それぞれ独立に、０〜１５０の整数であり、かつ（ｐ１＋ｑ１）の合計は、２〜１５０の整数であり、そしてＴ′は、重合連鎖反応の停止剤として作用するのに適している一価の基である）で示される基である〕で示される単位を含むポリマーである、請求項１〜４のいずれか１項記載の方法。
【請求項６】
工程（ａ）の櫛状ポリマーが、実質的に式（１ａ′）の単位よりなる、請求項５記載の方法。
【請求項７】
被覆すべき材料表面が、生物医学的装置、特にコンタクトレンズ、眼内レンズ又は人工角膜の表面である、請求項１〜６のいずれか１項記載の方法。
【請求項８】
（ｉ）無機又は有機のバルク材料；及び
（ii）請求項１〜６のいずれか１項記載の方法により得ることができる親水性表面被覆剤を含む複合材料。
【請求項９】
式（１４）：
【化１７】
2002348393.tif 000017
〔式中、Ａ1、Ｌ1、Ｒ25″、Ｒ29及びｇは、それぞれ請求項２と同義である〕で示される化合物。
【請求項１０】
式（１３）：
【化１８】
2002348393.tif 000018
〔式中、Ａ4は、ヒドロキシ、アミノ、カルボキシ又はその誘導体であり、（ａｌｋ）は、Ｃ2−Ｃ6−アルキレンであり、そして（オリゴマー）−〔Ｑ〕mは、式（３ｂ）：
【化１９】
2002348393.tif 000019
（式中、Ｒ25、Ｒ25′及びＲ25″は、それぞれ独立に、水素又はＣ1−Ｃ4−アルキルであり、Ｒ26及びＲ26′は、それぞれ独立に、親水性置換基であり、
ｐ及びｑは、それぞれ他と独立に、０〜２５０の整数であり、ここで（ｐ＋ｑ）の合計は、２〜２５０の整数であり、ｍは、≧１の整数であり、
Ｔは、重合連鎖反応の停止剤として作用するのに適している一価の基であり、そして
Ｒ25″、Ｒ29、Ａ1、Ｌ1及びｇは、それぞれ請求項２と同義である）で示される基である〕で示されるテロマー。
【請求項１１】
式（１０ａ）：
【化２０】
2002348393.tif 000020
〔式中、Ｒは、水素又はＣ1−Ｃ4−アルキルであり、（ａｌｋ）は、Ｃ2−Ｃ6−アルキレンであり、Ａは、請求項１で定められた式（２ａ）〜（２ｋ）の基であり、そして（オリゴマー）−（Ｑ）mは、請求項１０で定められた式（３ｂ）の基である〕で示されるマクロモノマー。